(57)【要約】 【課題】  複数の監視情報の変化の関連付けた監視等を図る。【解決手段】  監視カメラ１０等の監視情報を監視データデータベース１４１に、また、その変化についての検索情報を監視メタ情報データベース１４２に記憶する。また、検索情報をセンター監視装置３００へ送信し、センター監視装置３００で検索情報の表示を行ってその選択をする。選択された検索情報は、監視装置１００へ返送されて対応する監視情報の検索に用いられる。検索された監視情報は、センター監視装置３００へ送信されて表示され、監視カメラ１０等の状態監視に用いられる。【選択図】      図１
2007053475.tif 000002
【特許請求の範囲】
【請求項１】
入力装置から入力される情報を記憶手段に記憶させ、読み出す記憶方法であって、
記憶される前記情報に変化があるとき当該情報変化を検出し、
該検出に対応する検索情報を生成し、
生成された前記検索情報を前記情報対応に前記記憶手段に記憶させ、
前記検索情報を表示形式の情報に編集し、
編集された前記表示形式の情報を表示し、
表示されている前記表示形式の情報に対して指示を与え、
指示された前記表示形式の情報に対応する前記検索情報を生成し、
生成された前記検索情報対応に記憶されている前記情報を前記記憶手段から読み出すことを特徴とする記憶方法。
【請求項２】
前記入力装置は複数であり、前記情報は、入力される時系列順に前記記憶手段に記憶されることを特徴とする請求項１記載の記憶方法。
【請求項３】
前記検索情報は、前記情報変化を特定するための複数種の情報であり、前記編集は、前記複数種の情報毎に行い、前記指示は、表示されている前記表示形式の情報に対する選択指示であることを特徴とする請求項１又は２記載の記憶方法。
【請求項４】
前記複数種の情報は、前記情報変化が発生した時刻、前記情報変化が終了した時刻、前記入力装置及び前記情報変化を示す情報の全部又は一部からなることを特徴とする請求項１、２又は３記載の記憶方法。
【請求項５】
前記情報は、前記入力装置の識別情報及び前記入力装置毎のデータ識別情報で検索可能に第1の記憶手段に記憶され、前記検索情報は、前記識別情報及び前記データ識別情報と共にメタ情報として第2の記憶手段に記憶されることを特徴とする請求項１、２、３又は４記載の記憶方法。
【請求項６】
前記入力装置は、監視システムの監視装置に接続される装置であることを特徴とする請求項１乃至５のいずれか一に記載の記憶方法。
【請求項７】
前記検索情報は、前記入力装置が接続される監視装置の識別情報を含むことを特徴とする請求項６記載の記憶方法。
【請求項８】
前記第1の記憶手段は、監視システムの監視データデータベースであり、前記第2の記憶手段は、監視システムの監視メタ情報データベースであることを特徴とする請求項６又は７記載の記憶方法。
【請求項９】
前記記憶手段から読み出される前記検索情報対応の前記情報は、表示形式の情報に編集されて表示され、該表示形式の情報は、前記検索情報対応の前記情報に前記情報の再生開始時刻及び再生時間を付加して構成され、前記情報の再生は、前記再生時間内で順方向又は逆方向に一倍速、２倍速又は１／２倍速で行えることを特徴とする請求項６、７又は８記載の記憶方法。
【請求項１０】
複数の入力装置が接続される監視装置とセンター監視装置とが接続され、前記入力装置から時系列で入力される監視情報に情報変化があるとき当該監視情報を前記センター監視装置で監視する監視システムであって、
前記監視装置に、
前記入力装置から時系列で入力される監視情報を書き込みかつ読み出す記憶手段と、
該記憶手段に書き込まれる前記監視情報に変化があるとき当該情報変化を検出する検出手段と、
該検出手段による前記情報変化の検出毎に前記情報変化を特定するための複数種の検索情報を生成する第１の生成手段と、
該第１の生成手段及び前記記憶手段に接続され、前記第１の生成手段によって生成される前記複数種の検索情報を、書き込まれる前記監視情報対応に前記記憶手段に書き込ませる書き込み制御手段と、
前記第１の生成手段で生成される前記複数種の検索情報を前記センター監視装置へ送出する第１の送出手段とを備え、
前記センター監視装置に、
表示手段と、
前記監視装置から受け取る前記複数種の検索情報を前記入力装置毎で、かつ、前記検索情報毎に表示形式の情報に編集して前記表示手段へ供給する第１の表示制御手段と、
前記表示手段に前記入力装置毎で、かつ、前記検索情報毎に表示されている前記表示形式の情報を選択する選択手段と、
該選択手段によって選択される前記表示形式の情報に対応する検索情報を生成する第２の生成手段と、
該第２の生成手段によって生成される前記検索情報を前記監視装置へ送出する第2の送出手段とを備えることに加えて、
前記監視装置に、前記センター監視装置から受け取る前記検索情報を前記記憶手段へ供給して当該検索情報対応の前記監視情報を前記センター監視装置へ送出する第３の送出手段とを備える一方、
前記センター監視装置に、前記監視装置から受け取る前記監視情報及び前記複数種の検索情報を表示形式の情報に編集して前記表示手段へ供給させる第２の表示制御手段を備えてなることを特徴とする監視システム。
【請求項１１】
前記複数種の検索情報は、前記情報変化が発生した時刻、前記情報変化が終了した時刻、前記入力装置及び前記監視装置の識別情報並びに前記情報変化を示す情報の全部又は一部からなることを特徴とする請求項１０記載の監視システム。
【請求項１２】
前記記憶手段は、監視情報データベース及び監視メタ情報データベースからなり、前記監視情報は、前記入力装置の識別情報及び前記入力装置毎のデータ識別情報で検索可能に前記監視情報データベースに記憶され、前記検索情報は、前記識別情報及び前記データ識別情報と共にメタ情報として監視メタ情報データベースに記憶されることを特徴とする請求項１０又は１１記載の監視システム。
【請求項１３】
前記第２の表示制御手段によって編集される前記表示形式の情報は、前記監視情報に前記監視情報の再生開始時刻及び再生時間を付加して構成され、前記監視情報の再生は、前記再生時間内で順方向又は逆方向に一倍速、２倍速又は１／２倍速で行えることを特徴とする請求項１０、１１又は１２記載の監視システム。
【請求項１４】
複数の入力装置と、該入力装置から時系列で入力される監視情報を書き込み読み出す記憶手段とを有し、監視システムのセンター監視装置へ接続される監視装置であって、
前記記憶手段に書き込まれる前記監視情報に変化があるとき当該情報変化を検出する検出手段と、
該検出手段による前記情報変化の検出毎に前記情報変化を特定するための複数種の検索情報を生成する生成手段と、
前記生成手段及び前記記憶手段に接続され、前記生成手段によって生成される前記複数種の検索情報を、書き込まれる前記監視情報対応に前記記憶手段に書き込ませる書き込み制御手段と、
前記生成手段によって生成される前記複数種の検索情報を前記センター監視装置へ送出する第１の送出手段と、
前記センター監視装置から返送される前記検索情報を前記記憶手段へ供給して当該検索情報対応の前記監視情報を前記センター監視装置へ送出する第２の送出手段とを備えることを特徴とする監視装置。
【請求項１５】
前記複数種の検索情報は、前記情報変化が発生した時刻、前記情報変化が終了した時刻、前記入力装置及び前記監視装置の識別情報並びに前記情報変化を示す情報の全部又は一部からなることを特徴とする請求項１４記載の監視装置。
【請求項１６】
前記記憶手段は、監視情報データベース及び監視メタ情報データベースからなり、前記監視情報は、前記入力装置の識別情報及び前記入力装置毎のデータ識別情報で検索可能に前記監視情報データベースに記憶され、前記検索情報は、前記識別情報及び前記データ識別情報と共にメタ情報として監視メタ情報データベースに記憶されることを特徴とする請求項１４又は１５記載の監視装置。
【請求項１７】
表示手段を有し、監視システムの監視装置へ接続されるセンター監視装置であって、
前記監視装置で複数の監視情報毎に生成される検索情報を前記監視情報毎に表示形式の情報を編集して前記表示手段へ供給する第１の表示制御手段と、
前記表示手段に前記監視情報毎に表示されている前記表示形式の情報を選択する選択手段と、
選択手段によって選択される前記表示形式の情報に対応する検索情報を生成する生成手段と、
生成手段によって生成される前記検索情報を前記監視装置へ送出する送出手段と、
記監視装置から受け取る前記検索情報対応の前記監視情報を表示形式の情報を編集して前記表示手段へ供給させる第２の表示制御手段とを備えてなることを特徴とするセンター監視装置。
【請求項１８】
前記検索情報は、前記監視情報の変化が発生した時刻、前記監視情報の変化が終了した時刻、前記監視装置に接続される入力装置及び前記監視装置の識別情報並びに前記変化を示す情報の全部又は一部からなることを特徴とする請求項１７記載のセンター監視装置。
【請求項１９】
前記第２の表示制御手段によって編集される前記表示形式の情報は、前記監視情報に前記監視情報の再生開始時刻及び再生時間を付加して構成され、前記監視情報の再生は、前記再生時間内で順方向又は逆方向に一倍速、２倍速又は１／２倍速で行えることを特徴とする請求項１７又は１８記載のセンター監視装置。
【発明の詳細な説明】
【技術分野】
【０００１】
の発明は、記憶方法並びに監視システム、監視装置及びセンター監視装置に関し、詳しくは入力される情報に変化があるときその情報の検索情報を表示してこれに指示を与えて上記情報の読み出しを行う記憶方法並びにその方法を用いる監視システム、監視装置及びセンター監視装置に関する。
【背景技術】
【０００２】
従来から各種の監視システムが知られている。その中の1つの監視システムは、監視対象を撮影する監視カメラが監視装置に接続されるほか、ネットワークを介して通信装置が監視装置に接続されて構成される。
【０００３】
その監視システムの例が、特許文献1に開示されている。特許文献１に記載される統合監視システムは、監視対象の複数のコンピュータと、これらコンピュータに向けて配置された監視カメラとを、ネットワーク回線を介して集中監視装置に接続して構成される。
このシステムは、コンピュータにソフトウェア的異常が発見された場合に、コンピュータＩＤとソフトウェア情報とがネットワークを介して集中監視装置へ通報されると共に、通報対象のコンピュータの映像を監視カメラの監視カメラ座標で撮影し、ネットワークを介して集中監視装置へ送られる。その映像の履歴蓄積を行う。
監視者は、ソフトウェア情報と映像とをコンピュータに生じている異常の障害復旧に役立てる。
【０００４】
また、特許文献２に記載される画像監視システムは、時系列で入力される監視対象の画像フレームに基づいて監視対象の状態変化を検出する変化検出手段と、この変化検出手段で検出される状態変化に応じて記憶部に格納しようとする画像フレームのサンプリング間隔を設定する間隔設定手段と、間隔設定手段によって設定されたサンプリング間隔毎の画像フレームを記憶部に格納する格納手段とを有してその特徴部分が構成されるほか、記憶部に格納されている画像フレームの閲覧要求（格納間隔で示す異常レベル等）を入力部からオペレータによって検出部に入力し、検出部によって検出される画像フレームを再生部を介して表示部に供給して表示することも開示されている。
【０００５】
この画像監視システムにおける画像フレームのサンプリング間隔を状態変化に応じて設定するようにして異常発生時の画像情報を詳細に収集するようにしている。これは、効率的な画像フレームの蓄積を可能にすることにある。
また、入力部から入力される閲覧要求を異常レベルで指定することにより、画像フレームの検索を異常と判断されなかった時点の画像フレームの検索を可能にするためである。
【特許文献１】特開２００３−２０８３３８号公報
【特許文献２】特開２００１−２５１６０７号公報
【発明の開示】
【発明が解決しようとする課題】
【０００６】
特許文献１で開示される統合監視システムでは、障害の解析判断に用いられる情報が、映像情報であるため、コンピュータと監視カメラとの間に障害物、例えば、不審者が入ったときには、障害解析に用いる映像情報を取得できず、監視の目的が十分に達成し得ない事態が発生してしまう。
また、映像情報の履歴を蓄積してはいるが、上述した映像情報の取得の不十分性を補充する情報の取得がないこととの関連で、障害解析になお解決すべき技術的課題が残っている。
【０００７】
特許文献２に開示される画像監視システムでは、画像フレームをその状態変化に応じた格納をするようにしてはいるが、監視対象について画像情報以外の監視情報の収集についての示唆はなく、特許文献１について述べたと同様の技術的課題が、なお、残る。
【０００８】
この発明は、上述の事情に鑑みてなされたもので、入力される情報に変化があるときその情報の検索情報の表示、そしてその表示への指示により上記情報の読み出しを可能にする記憶方法並びにその方法を用いる監視システム、監視装置及びセンター監視装置を提供することを目的としている。
【課題を解決するための手段】
【０００９】
上記課題を解決するために、請求項１記載の発明は、入力装置から入力される情報を記憶手段に記憶させ、読み出す記憶方法に係り、記憶される上記情報に変化があるとき当該情報変化を検出し、該検出に対応する検索情報を生成し、生成された上記検索情報を上記情報対応に上記記憶手段に記憶させ、上記検索情報を表示形式の情報に編集し、編集された上記表示形式の情報を表示し、表示されている上記表示形式の情報に対して指示を与え、指示された上記表示形式の情報に対応する上記検索情報を生成し、生成された上記検索情報対応に記憶されている上記情報を上記記憶手段から読み出すことを特徴としている。
【００１０】
請求項２記載の発明は、請求項１記載の記憶方法に係り、上記入力装置は複数であり、上記情報は、入力される時系列順に上記記憶手段に記憶されることを特徴としている。
【００１１】
請求項３記載の発明は、請求項１又は２記載の記憶方法に係り、上記検索情報は、上記情報変化を特定するための複数種の情報であり、上記編集は、上記複数種の情報毎に行い、上記指示は、表示されている上記表示形式の情報に対する選択指示であることを特徴としている。
【００１２】
請求項４記載の発明は、請求項１、２又は３記載の記憶方法に係り、上記複数種の情報は、上記情報変化が発生した時刻、上記情報変化が終了した時刻、上記入力装置及び上記情報変化を示す情報の全部又は一部からなることを特徴としている。
【００１３】
請求項５記載の発明は、請求項１、２、３又は４記載の記憶方法に係り、上記情報は、上記入力装置の識別情報及び上記入力装置毎のデータ識別情報で検索可能に第1の記憶手段に記憶され、上記検索情報は、上記識別情報及び上記データ識別情報と共にメタ情報として第2の記憶手段に記憶されることを特徴としている。
【００１４】
請求項６記載の発明は、請求項１乃至５のいずれか一に記載の記憶方法に係り、上記入力装置は、監視システムの監視装置に接続される装置であることを特徴としている。
【００１５】
請求項７記載の発明は、請求項６記載の記憶方法に係り、上記検索情報は、上記入力装置が接続される監視装置の識別情報を含むことを特徴としている。
【００１６】
請求項８記載の発明は、請求項６又は７記載の記憶方法に係り、上記第1の記憶手段は、監視システムの監視データデータベースであり、上記第2の記憶手段は、監視システムの監視メタ情報データベースであることを特徴としている。
【００１７】
請求項９記載の発生は、請求項６、７又は８記載の記憶方法に係り、上記記憶手段から読み出される上記検索情報対応の上記情報は、表示形式の情報に編集されて表示され、該表示形式の情報は、上記検索情報対応の上記情報に上記情報の再生開始時刻及び再生時間を付加して構成され、上記情報の再生は、上記再生時間内で順方向又は逆方向に一倍速、２倍速又は１／２倍速で行えることを特徴としている。
【００１８】
請求項１０記載の発明は、複数の入力装置が接続される監視装置とセンター監視装置とが接続され、上記入力装置から時系列で入力される監視情報に情報変化があるとき当該監視情報を上記センター監視装置で監視する監視システムに係り、上記監視装置に、上記入力装置から時系列で入力される監視情報を書き込みかつ読み出す記憶手段と、該記憶手段に書き込まれる上記監視情報に変化があるとき当該情報変化を検出する検出手段と、該検出手段による上記情報変化の検出毎に上記情報変化を特定するための複数種の検索情報を生成する第１の生成手段と、該第１の生成手段及び上記記憶手段に接続され、上記第１の生成手段によって生成される上記複数種の検索情報を、書き込まれる上記監視情報対応に上記記憶手段に書き込ませる書き込み制御手段と、上記第１の生成手段で生成される上記複数種の検索情報を上記センター監視装置へ送出する第１の送出手段とを備え、上記センター監視装置に、表示手段と、上記監視装置から受け取る上記複数種の検索情報を上記入力装置毎で、かつ、上記検索情報毎に表示形式の情報に編集して上記表示手段へ供給する第１の表示制御手段と、上記表示手段に上記入力装置毎で、かつ、上記検索情報毎に表示されている上記表示形式の情報を選択する選択手段と、該選択手段によって選択される上記表示形式の情報に対応する検索情報を生成する第２の生成手段と、該第２の生成手段によって生成される上記検索情報を上記監視装置へ送出する第2の送出手段とを備えることに加えて、上記監視装置に、上記センター監視装置から受け取る上記検索情報を上記記憶手段へ供給して当該検索情報対応の上記監視情報を上記センター監視装置へ送出する第３の送出手段とを備える一方、上記センター監視装置に、上記監視装置から受け取る上記監視情報及び上記複数種の検索情報を表示形式の情報に編集して上記表示手段へ供給させる第２の表示制御手段を備えてなることを特徴としている。
【００１９】
請求項１１記載の発明は、請求項１０記載の監視システムに係り、上記複数種の検索情報は、上記情報変化が発生した時刻、上記情報変化が終了した時刻、上記入力装置及び上記監視装置の識別情報並びに上記情報変化を示す情報の全部又は一部からなることを特徴としている。
【００２０】
請求項１２記載の発明は、請求項１０又は１１記載の監視システムに係り、上記記憶手段は、監視情報データベース及び監視メタ情報データベースからなり、上記監視情報は、上記入力装置の識別情報及び上記入力装置毎のデータ識別情報で検索可能に上記監視情報データベースに記憶され、上記検索情報は、上記識別情報及び上記データ識別情報と共にメタ情報として監視メタ情報データベースに記憶されることを特徴としている。
【００２１】
請求項１３記載の発明は、請求項１０、１１又は１２記載の監視システムに係り、上記第２の表示制御手段によって編集される上記表示形式の情報は、上記監視情報に上記監視情報の再生開始時刻及び再生時間を付加して構成され、上記監視情報の再生は、上記再生時間内で順方向又は逆方向に一倍速、２倍速又は１／２倍速で行えることを特徴としている。
【００２２】
請求項１４記載の発明は、複数の入力装置と、該入力装置から時系列で入力される監視情報を書き込み読み出す記憶手段とを有し、監視システムのセンター監視装置へ接続される監視装置に係り、上記記憶手段に書き込まれる上記監視情報に変化があるとき当該情報変化を検出する検出手段と、該検出手段による上記情報変化の検出毎に上記情報変化を特定するための複数種の検索情報を生成する生成手段と、上記生成手段及び上記記憶手段に接続され、上記生成手段によって生成される上記複数種の検索情報を、書き込まれる上記監視情報対応に上記記憶手段に書き込ませる書き込み制御手段と、上記生成手段によって生成される上記複数種の検索情報を上記センター監視装置へ送出する第１の送出手段と、上記センター監視装置から返送される上記検索情報を上記記憶手段へ供給して当該検索情報対応の上記監視情報を上記センター監視装置へ送出する第２の送出手段とを備えることを特徴としている。
【００２３】
請求項１５記載の発明は、請求項１４記載の監視装置に係り、上記複数種の検索情報は、上記情報変化が発生した時刻、上記情報変化が終了した時刻、上記入力装置及び上記監視装置の識別情報並びに上記情報変化を示す情報の全部又は一部からなることを特徴としている。
【００２４】
請求項１６記載の発明は、請求項１４又は１５記載の監視装置に係り、上記記憶手段は、監視情報データベース及び監視メタ情報データベースからなり、上記監視情報は、上記入力装置の識別情報及び上記入力装置毎のデータ識別情報で検索可能に上記監視情報データベースに記憶され、上記検索情報は、上記識別情報及び上記データ識別情報と共にメタ情報として監視メタ情報データベースに記憶されることを特徴としている。
【００２５】
請求項１７記載の発明は、表示手段を有し、監視システムの監視装置へ接続されるセンター監視装置に係り、上記監視装置で複数の監視情報毎に生成される検索情報を上記監視情報毎に表示形式の情報を編集して上記表示手段へ供給する第１の表示制御手段と、上記表示手段に上記監視情報毎に表示されている上記表示形式の情報を選択する選択手段と、該選択手段によって選択される上記表示形式の情報に対応する検索情報を生成する生成手段と、該生成手段によって生成される上記検索情報を上記監視装置へ送出する送出手段と、上記監視装置から受け取る上記検索情報対応の上記監視情報を表示形式の情報を編集して上記表示手段へ供給させる第２の表示制御手段とを備えてなることを特徴としている。
【００２６】
請求項１８記載の発明は、請求項１７記載のセンター監視装置に係り、上記検索情報は、上記監視情報の変化が発生した時刻、上記監視情報の変化が終了した時刻、上記監視装置に接続される入力装置及び上記監視装置の識別情報並びに上記変化を示す情報の全部又は一部からなることを特徴としている。
【００２７】
請求項１９記載の発明は、請求項１７又は１８記載のセンター監視装置に係り、上記第２の表示制御手段によって編集される上記表示形式の情報は、上記監視情報に上記監視情報の再生開始時刻及び再生時間を付加して構成され、上記監視情報の再生は、上記再生時間内で順方向又は逆方向に一倍速、２倍速又は１／２倍速で行えることを特徴としている。
【発明の効果】
【００２８】
この発明によれば、入力装置から入力される情報を記憶手段に記憶させるに際して、その情報に変化が検出されるとき、該検出に対応する１つ又は複数種の検索情報を生成し、生成された検索情報を情報対応に記憶手段に記憶させる一方、検索情報を表示形式の情報に編集て表示し、表示されている表示形式の情報に対する指示乃至選択指示を与え、指示された表示形式の情報に対応する検索情報を生成し、生成された検索情報対応に記憶されている情報を上記記憶手段から読み出し、表示するようにしているから、入力装置からオンラインの情報だけでなく、情報の変化の発生前後の情報、過去の情報を同一又は異なる種別で、かつ、任意のタイミングで監視者に提供することができる。
【００２９】
したがって、情報の変化の発生までの過程の特定やその原因の調査の容易化を図ることができる。
同一又は異なる種別の情報を１つの画面で表示しているから、変化発生時の情報を監視者に分かり易く提供することができる。
複数種別の情報を変化発生時刻に関連付けて画面に表示しているから、変化の解析に必要な情報を集約して提供することができる。
【発明を実施するための最良の形態】
【００３０】
この発明は、入力装置から入力される情報の変化を検出すること、該検出に対応する１つ又は複数種の検索情報を生成すること、生成された検索情報を情報対応に記憶手段に記憶させること、生成される検索情報を表示形式の情報に編集て表示すること、表示される表示形式の情報に対する指示乃至選択指示を与えること、指示された表示形式の情報に対応する検索情報を生成すること、生成された検索情報対応に記憶されている情報を記憶手段から読み出して表示することを用いて構成される。
【実施例１】
【００３１】
図１は、この発明の実施例１である監視システムを構成する監視装置の機能構成を示す図、図２は、同監視システムを構成するセンター監視装置の機能構成を示す図、図３は、同監視システムのデータベースの構成例を示す図、図４は、同監視システムのアラーム情報画面の例を示す図、また、図５は、同監視システムのアラーム詳細情報画面の例を詳細に示す図である。
この実施例の監視システム１は、監視装置に接続される入力装置に生ずる状態変化（アラーム情報）を関連付けて画面上で監視させるシステムに係り、図１及び図２に示すように、監視装置１００と、監視装置１００に接続されるネットワーク２００と、ネットワーク２００に接続されるセンター監視装置（以下、センター装置ともいう）３００とから概略構成されている。監視装置１００には、外部からの入力装置として、監視カメラ１０、キーボード２０、マウス３０及びセンサーからの信号を受信する受信装置４０が接続されている。また、監視装置１００には、外部への出力装置として、モニタ装置（表示装置）５０が接続されている。
【００３２】
図１を参照して、先ず、監視装置１００の構成を説明する。
監視装置１００は、例えば、パーソナルコンピュータ、サーバで構成され、監視カメラ１０へ接続される監視カメラ情報編集部１１１と、キーボード２０へ接続されるキーボード入力情報編集部１１２と、マウス３０へ接続されるマウス入力情報編集部１１３と、受信装置４０へ接続される計測情報編集部１１４と、モニタ出力制御部１１６を介してモニタ装置５０に接続されるモニタ出力情報編集部１１５とが、監視対象の情報入力部としてあり、これらの各編集部には、タイマー部１２０が接続されている。
【００３３】
監視装置１００は、これらの構成要素のほか、情報管理部１３０、監視データデータベース１４１、監視メタ情報データベース１４２、監視データ管理データベース群１４３、状態変化検知部１５１、異常条件リスト記憶部１５２、状態変化メタ情報生成部１５３、アラーム情報生成部１５４、通信制御部１６０及び監視情報生成部１７０を有して構成される。情報管理部１３０は、監視カメラ情報編集部１１１、キーボード入力情報編集部１１２、マウス入力情報編集部１１３、計測情報編集部１１４、モニタ出力情報編集部１１５及び状態変化メタ情報生成部１５２から情報が入力され、監視データデータベース１４１、監視メタ情報データベース１４２及び状態変化検知部１５１へ情報を出力するように構成されている。
状態変化検知部１５１は、異常条件リスト記憶部１５２、状態変化メタ情報生成部１５３及びアラーム情報生成部１５４に接続されている。通信制御部１６０は、アラーム情報生成部１５４及び監視情報生成部１７０に接続されている。
【００３４】
監視カメラ情報編集部１１１は、監視カメラ１０で撮影された映像音声情報を単位時間毎に分割し、分割された映像音声情報とタイマー部１２０から取得した時刻情報とを合わせ、これらの情報の保存要求を情報管理部１３０に送出する監視対象情報入力手段の１つである。
キーボード入力情報編集部１１２は、キーボード２０のいずれのキー操作が行われたかを示すキー情報とタイマー部１２０から取得した時刻情報とを合わせ、これらの情報の保存要求を情報管理部１３０に送出する監視対象情報入力手段の１つである。
マウス入力情報編集部１１３は、マウスでいずれのボタンが操作されたかを示すマウス情報とタイマー部１２０から取得した時刻情報とを合わせ、これらの情報の保存要求を情報管理部１３０に送出する監視対象情報入力手段の１つである。
計測情報編集部１１４は、受信装置４０で受信した計測情報とタイマー部１２０から取得した時刻情報とを合わせ、これらの情報の保存要求を情報管理部１３０に送出する監視対象情報入力手段の１つである。
【００３５】
モニタ出力情報編集部１１５は、モニタ出力制御部１１６を介してモニタ装置５０からモニタ情報を取得し、そのモニタ情報を単位時間毎に分割し、分割されたモニタ情報とタイマー部１２０から取得した時刻情報とを合わせ、これらの情報の保存要求を情報管理部１３０に送出する監視対象情報入力手段の１つである。
【００３６】
情報管理部１３０は、上述した各編集部からの保存要求毎に、監視データデータベース１４１（図３では、監視データＤＢと記す）には監視対象情報、すなわち、外部入力情報との関連付けをして、すなわち、外部入力装置毎に前回のデータ保存時刻から今回のデータ保存時刻までの外部入力情報を検索可能にするデータＩＤを当該外部入力情報に付加して保存させると共に、監視メタ情報データベース１４２（図３では、監視メタ情報ＤＢと記す）には、上記保存要求に含まれる各時刻情報（検索情報）（データ保存時刻、アラーム発生時刻及びアラーム終了時刻（図３参照））をメタ情報の一部として作成して外部入力情報のデータ種別及びデータＩＤ対応に保存させると共に、その外部入力情報に変化があったとき対応する検索情報（キーワード）をメタ情報のうちの管理情報として保存させるほか、アラーム状態もメタ情報の一部として保存させる制御手段である。
管理情報及びアラーム状態は、後述する状態変化メタ情報生成部１５２によって生成される。メタ情報を構成する管理情報及びアラーム状態は、後述する監視情報（アラーム詳細情報）のための検索キー（検索情報）として用いられる。
また、情報管理部１３０は、センター装置３００から監視情報生成部１７０に選択情報（検索情報）が与えられると、選択情報対応の監視情報を監視データデータベース１４１及び監視メタ情報データベース１４２から検索抽出して監視情報生成部１７０へ返送する手段でもある。上記選択情報は、監視情報を監視データデータベース１４１及び監視メタ情報データベース１４２から選択抽出するための情報である。
【００３７】
監視データデータベース１４１は、データＩＤ記憶域及び外部入力情報記憶域を有し、データＩＤ記憶域にデータＩＤを記憶し、そのデータＩＤで検索可能に外部入力情報記憶域に外部入力情報を保存するのに用い、監視メタ情報データベース１４２は、上述したメタ情報を保存するのに用いる。監視データデータベース１４１及び監視メタ情報データベース１４２への保存例は、後述する。
この２つの保存形式により、或る時刻における或るデータ種別の監視情報（外部入力情報）を当該或る時刻での他のデータ種別の監視情報に関連付けることができる。監視データデータベース１４１のレコード（情報）を検索する際に、先ず、監視メタ情報データベース１４２を検索することで該当する所要の情報を取得することができるし、時刻情報や状態変化を検索キーにすることにより、異なるデータ種別の外部入力情報を監視データデータベース１４１から取得することができる。
【００３８】
また、監視データ管理データベース群１４３は、監視データデータベース１４１及び監視メタ情報データベース１４２でのデータの保存管理のためのマスタ情報を管理する複数のテーブルで構成され、そのマスタ情報は、情報管理部１３０によって、管理される。
【００３９】
監視データデータベース１４１及び監視メタ情報データベース１４２並びに監視データ管理データベース群１４３への保存例を図３に示す。
図３に示すように、監視データデータベース１４１への保存情報は、保存する情報の種類、すなわち、監視装置１００へ外部入力装置から入力される外部入力情報と、この外部入力情報に情報管理部１３０が上記保存要求毎に付加するデータＩＤとからなり（データＩＤ毎に１つのレコードを構成しており）、データＩＤを検索キーとして検索が行われるように構成されている。
【００４０】
監視メタ情報データベース１４２への保存情報は、監視装置１００への外部入力情報毎に区別されるデータ種別に区別なく、同一の保存フォーマットで構成される。その保存フォーマットは、データ種別、データＩＤ、データ保存時刻、データ発生時刻、データ終了時刻、管理情報及びアラーム状態であり、それらの情報は、対応する記憶域、すなわち、データ種別記憶域、データＩＤ記憶域、データ保存時刻記憶域、データ発生時刻記憶域、データ終了時刻記憶域、管理情報記憶域及びアラーム状態記憶域（図３では、これらの記憶域を、単に、データ種別、データＩＤ、データ保存時刻、データ発生時刻、データ終了時刻、管理情報及びアラーム状態と記す）に記憶される。管理情報は、アラーム発生時刻、監視装置の種別及びアラーム発生箇所である。保存フォーマットで保存される保存情報は、フォーマット毎に１つのレコードを構成している。
したがって、監視メタ情報データベース１４２のレコードは、データ種別とデータＩＤの組み合わせで、監視データデータベース１４１のレコードと１対１の対応関係で結び付けられるように構成されている。
監視データ管理データベース群１４３への保存情報は、データ種別及びデータ種別名称、すなわち、マスタ情報を管理する複数のテーブルから構成されている。
マスタ情報は、監視データデータベース１４１及び監視メタ情報データベース１４２への書き込み、そこからの読み出しの管理情報である。
【００４１】
状態変化検知部１５１は、監視カメラ情報編集部１１１、キーボード入力情報編集部１１２、マウス入力情報編集部１１３、計測情報編集部１１４及びモニタ出力情報編集部１１４から情報管理部１３０で受け付けた保存要求対象の情報を情報管理部１３０から受け取り、その情報のチェックを行う。
状態変化検知部１５１で行うチェックは、外部入力情報（監視カメラ情報、キーボード入力情報、マウス入力情報、計測情報）を前回の入力値又は演算値と比較して状態変化の有無を判断し、状態変化の発生の場合は状態変化に係る所要の情報を状態変化メタ情報生成部１５２へ通知する。
また、状態変化検知部１５１は、上記状態変化と異常条件リスト記憶部１５３のリスト情報との照合を行い、照合が得られた場合には、照合対応の異常情報をアラーム情報生成部１５４に送る。上記リスト情報は、異常条件リスト記憶部１５３に予め登録されるもので、状態変化（アラーム）が所定の変化となっているか否かを判定するための条件を決める情報である。
【００４２】
状態変化メタ情報生成部１５２は、状態変化検知部１５１から通知される情報に基づいてその状態変化についての所要のキーワード（検索情報）を生成し、そのキーワードをデータ種別対応に監視メタ情報データベース１４２の管理情報記憶域に保存する。
アラーム情報生成部１５４は、状態変化検知部１５１から伝えられる異常情報に基づいてアラーム情報を生成する。アラーム情報は、例えば、アラーム発生時刻、監視装置の種別、アラーム発生箇所及びアラーム状態である。
通信制御部１６１は、アラーム情報生成部１５４で生成されたアラーム情報をセンター監視装置３００へ送信し、また、監視情報を監視データデータベース１４１及び監視メタ情報データベース１４２から選択抽出するための選択情報をセンター監視装置３００から受信する。
監視情報生成部１７０は、通信制御部１６０から選択情報に応答して当該選択情報対応の監視情報（入力情報及びメタ情報）を抽出して返送すべき旨の取得要求（検索情報）を情報管理部１３０へ送出する。
【００４３】
次に、図２を参照して、センター装置３００の構成について説明する。
センター装置３００は、監視装置１００の通信制御部１６０とネットワーク２００を経由して接続される通信制御部３１０、アラーム画面生成部３１１、監視情報選択部３１２及び監視画面生成部３１３に接続される監視画面制御部３２０を含み、監視画面制御部３２０は、監視画面表示部３３０及び監視画面操作部３４０に接続されて構成されている。
【００４４】
通信制御部３１０は、監視装置１００の通信制御部１６０からアラーム情報を受信してアラーム画面生成部３１１に転送し、また、監視情報選択部３１２からの選択情報を監視装置１００へネットワーク２００を経由して送信する手段である。
アラーム画面生成部３１１は、アラーム情報を表示形式に編集すると共に、その表示要求を監視画面制御部３２０へ送出する手段である。
アラーム画面生成部３１１で編集される表示形式は、これを表示した状態で言えば、例えば、図４に示すように、アラーム発生時刻、監視装置、アラーム発生箇所及びアラーム状態をアラーム発生時刻の降順に一覧表示する表示領域４−１と、監視装置のモニタ装置５０のモニタ情報（画面情報）の表示領域４−２と、監視カメラ１０の映像の表示領域４−３とから構成される。
【００４５】
監視画面制御部３２０は、アラーム画面生成部３１１からの表示要求に応答して監視画面表示部３３０にアラーム情報を表示形式で表示させる一方、監視画面表示部３３０の画面に表示されているアラーム情報のうちの任意のアラーム情報が監視画面操作部３４０によって選択されたときその選択対象のアラーム情報を判別してその旨（判別情報）を監視情報選択部３１０に通知した後に、監視画面生成部３１３から送出されて来る表示要求に応答して監視画面表示部３３０に監視情報（アラーム詳細情報）を表示形式で表示させる制御部である。
監視画面表示部３３０の表示画面は、スクロール形式で制御可能とされている。
【００４６】
監視画面表示部３３０は、アラーム情報を表示形式で表示する手段である。監視画面操作部３４０は、監視画面表示部３３０の画面に表示されているアラーム情報のうちの任意のアラーム情報を選択する選択手段である。
監視情報選択部３１２は、監視画面制御部３２０からの判別情報に基づいて、選択されたアラーム情報に対応する監視情報を選択するための選択情報を生成してその選択情報を通信制御部３１０へ送出する手段である。
監視画面生成部３１３は、通信制御部３１０から受け取る監視情報（アラーム詳細情報）を表示形式に編集してその表示要求を監視画面制御部３２０に送出する手段である。表示要求には、アラーム詳細情報についての再生開始時刻及び再生時間が含まれる。再生開始時刻は、アラーム発生時刻前所定のデータ保存時刻に予め設定され、また、再生時間も予め設定される。
【００４７】
監視画面生成部３１３で編集される表示形式は、例えば、図５に示すように、アラーム発生時刻、装置の種別、アラーム発生箇所及びアラーム状態を表示する表示領域５−１と、再生開始時刻表示領域５−２と、再生時間表示領域５−３と、再生操作部表示領域５−４と、モニタ情報再生領域５−５と、キーボード情報再生領域５−６と、監視カメラ情報再生領域５−７と、マウス情報再生領域５−８とから構成される。
その再生操作部表示領域５−４は、以下に述べる各種ボタン、すなわち、停止ボタン、一時停止ボタン、再生ボタン、逆再生ボタン、倍速再生ボタン、倍速逆再生ボタン、スロー再生ボタン及びスロー逆再生ボタンを設けてなる。
これに加えて、再生開始時刻表示領域５−２及び再生時間表示領域５−３に、再生操作部表示領域５−４のそれぞれのボタンの操作で再生表示される画像の再生開始時刻及び再生時間を予め設定する仕組みが、監視画面生成部３１３に設けられている。
【００４８】
次に、図１乃至図５を参照して、この実施例の動作を説明する。
監視システム１が稼動状態にあるときに、監視カメラ１０で撮影された映像音声情報は、監視カメラ情報編集部１１１において単位時間毎に分割され、分割された映像音声情報は、タイマー部１２０から取得した時刻情報とを合わせられ、それら情報の保存要求が、監視カメラ情報編集部１１１から情報管理部１３０へ送出される。
この監視カメラ情報編集部１１１の動作と並行して、キーボード２０のいずれかのキー操作が行われると、キーボード入力情報編集部１１２において、キーボード２０で操作されたキーのキー情報とタイマー部１２０から取得した時刻情報とが合わせられ、それら情報の保存要求が、キーボード入力情報編集部１１２から情報管理部１３０へ送出される。
【００４９】
同様に、マウスでいずれかのボタンの操作が行われると、マウス入力情報編集部１１３において、操作されたボタンのマウス情報とタイマー部１２０から取得した時刻情報とが合わせられ、それら情報の保存要求が、マウス入力情報編集部１１３から情報管理部１３０へ送出される。
また、受信装置４０で計測情報が計測情報編集部１１４で受信されると、計測情報編集部１１４において、その計測情報とタイマー部１２０から取得した時刻情報とが合わせられ、それら情報の保存要求が、計測情報編集部１１４から情報管理部１３０へ送出される。
【００５０】
モニタ出力制御部１１６を介してモニタ装置５０からモニタ情報を取得するモニタ出力情報編集部１１５においては、そのモニタ情報は単位時間毎に分割され、分割されたモニタ情報とタイマー部１２０から取得した時刻情報とが合わせられ、それら情報の保存要求が、モニタ出力情報編集部１１５から情報管理部１３０へ送出される。
【００５１】
上述のようにして、保存要求が入力される情報管理部１３０においては、上述した各編集部からの保存要求毎に、監視対象情報、すなわち、外部入力情報との関連付けをして、すなわち、前回のデータ保存時刻から今回のデータ保存時刻までの外部入力情報を検索可能にするデータＩＤを当該外部入力情報に付加して監視データデータベース１４１に保存させると共に、上記保存要求に含まれる時刻情報、すなわち、データ保存時刻をメタ情報の一部として作成して外部入力情報のデータ識別及びデータＩＤ対応に監視メタ情報データベース１４２に保存させる。
これらの保存が行われるときの外部入力情報に変化（状態変化）があったことが、状態変化検知部１５１で検知されると、その状態変化に係る情報が状態変化メタ情報生成部１５３へ通知される。
状態変化検知部１５１からの情報を受け取った状態変化メタ情報生成部１５３は、その情報に基づいて外部入力情報の状態変化についての所定のキーワード（検索情報）を生成してそのキーワードの保存要求を情報管理部１３０へ送出する。情報管理部１３０によってデータ種別及びデータＩＤ対応にデータ保存時刻及びデータ発生時刻が対応する記憶域に保存されると共に、上記キーワードは、同じデータ種別及びデータＩＤ対応に監視メタ情報データベース１４２の管理情報記憶域に保存される。
【００５２】
状態変化検知部１５１が上述の通知を行うと同時に、上記通知対応の状態変化の内容と異常条件リスト記憶部１５２のリスト情報との照合が状態変化検知部１５１で行われ、照合が得られた場合には、異常情報がアラーム情報生成部１５４に送られる。
アラーム情報生成部１５４は、状態変化検知部１５１からの異常情報に基づいてアラーム情報を生成する。アラーム情報は、例えば、アラーム発生時刻、監視装置の種別、アラーム発生箇所及びアラーム状態である（図４の画面例）。
アラーム情報生成部１５４で生成されたアラーム情報は、通信制御部１６０へ転送され、そして通信制御部１６０からセンター監視装置３００へ送信される。
【００５３】
センター監視装置３００の通信制御部３１０は、監視装置１００の通信制御部１６０からアラーム情報を受信してアラーム画面生成部３１１に転送する。アラーム画面生成部３１１は、アラーム情報を表示形式に編集してその表示要求を監視画面制御部３２０へ送出する。
監視画面制御部３２０は、アラーム画面生成部３１１からの表示要求に応答して監視画面表示部３３０にアラーム情報を表示形式で表示させる。
【００５４】
その表示例を図４に示す。表示画面には、アラーム発生時刻、装置の種別、アラーム発生箇所及びアラーム状態をアラーム発生時刻の降順に表示する表示領域４−１と、モニタ画面の表示領域４−２と、監視カメラの映像を表示する表示領域４−３とから構成される。
表示領域４−１に表示される例は、図４に示すように、アラーム発生時刻として２００５／０３／０１  10:05:30、装置の種別として監視装置１００、アラーム発生箇所としてキーボード、そしてアラーム状態としてキー入力発生を示している。
【００５５】
このように表示されているアラーム情報のうちの全部又は一部のアラーム情報が監視画面操作部３４０によって選択されると、この選択に応答した監視画面制御部３２０は、選択されたアラーム情報を判別してその判別情報を監視情報選択部３１２に通知する。
監視情報選択部３１２は、監視画面制御部３２０からの判別情報に基づいて、選択されたアラーム情報に対応する監視情報を選択するための選択情報を生成してその選択情報を通信制御部３１０へ送出する。
通信制御部３１０は、監視情報選択部３１２からの選択情報をネットワーク２００を経由して監視装置１００へ送信する。
【００５６】
監視装置１００の通信制御部１６０は、センター監視装置３００からネットワーク２００を径由して選択情報を受信する。
通信制御部１６０は、選択情報を監視情報生成部１７０へ転送する。監視情報生成部１７０は、通信制御部１６０からの選択情報に応答して当該選択情報対応の監視情報を抽出して返送すべき旨の取得要求（検索情報）を情報管理部１３０へ送出する。
情報管理部１３０は、監視情報生成部１７０から検索情報が与えられると、検索情報対応の監視情報を監視データデータベース１４１及び監視メタ情報データベース１４２から検索抽出して監視情報生成部１７０へ返送する。
監視情報生成部１７０は、監視情報（アラーム詳細情報）を通信制御部１６０を介してセンター装置３００へ送信する。
【００５７】
監視装置１００の通信制御部１６０からアラーム詳細情報を受信した通信制御部３１０は、そのアラーム詳細情報を監視画面生成部３１３へ転送する。
監視画面生成部３１３は、通信制御部３１０から受け取った監視情報（アラーム詳細情報）を表示形式に編集してその表示要求を監視画面制御部３２０に送出する。
監視画面制御部３２０は、監視画面生成部３１３から送出されて来る表示要求に応答して監視情報（アラーム詳細情報）を表示形式で監視画面表示部３３０に表示させる。
【００５８】
その表示例を図５に示す。表示画面には、アラーム発生時刻、装置の種別、アラーム発生箇所及びアラーム状態を表示する表示領域５−１と、再生開始時刻表示領域５−２と、再生時間表示領域５−３と、再生操作部表示領域５−４と、モニタ情報再生領域５−５と、キーボード情報再生領域５−６と、監視カメラ情報再生領域５−７と、マウス情報再生領域５−８とから構成される。
図５に示すように、表示領域５−１には、アラーム発生時刻の例として２００５／０３／０１  10:05:30、装置の種別の例として監視装置１００、アラーム発生箇所の例としてキーボード、そしてアラーム状態の例としてキー入力発生を示している。
また、再生開始時刻の例としては、２００５／０３／０１  10:04:30であり、再生時間の例としては５分である。
【００５９】
この図５に示す表示例において、再生操作部表示領域５−４の再生ボタンをクリックすると、再生開始時刻表示領域５−２に設定されている再生開始時刻から再生時間表示領域５−３に設定されている時間の監視情報を再生領域５−５乃至５−８に表示する。
これら再生領域５−５乃至５−８のうちのモニタ情報再生領域５−５には、再生時刻対応で監視装置１００のモニタ５０の画面に表示されていた画像が表示される。表示される画面には、例えば、マウスカーソルの動きが動画像で現れる。キーボード情報再生領域５−６には、キーボードのレイアウトが予め表示されており、再生時刻対応で操作されたキーの画像がフリッカ表示される。
監視カメラ情報再生領域５−７には、再生時刻対応で監視装置１００の監視カメラ１０で撮影されていた画像が表示される。マウス情報再生領域５−８には、マウスのレイアウトが予め表示されており、再生時刻対応でクリックされたマウスの画像がフリッカ表示される。
【００６０】
再生領域５−５乃至５−８に表示中の監視情報は、再生操作部表示領域５−４の各種ボタンで操作することができる。
例えば、再生ボタンの操作により一倍速の再生を、また、逆再生ボタンの操作により一倍速の逆向き再生を行うことができる。倍速再生ボタンの操作により２倍速の再生を、また、倍速逆再生ボタンの操作により２倍速の逆向き再生を行うことができる。スロー再生ボタンの操作により１／２倍速の再生を、また、スロー逆再生ボタンの操作により１／２倍速の逆向き再生を行うことができる。
【００６１】
上述した再生操作部表示領域５−４のそれぞれの操作で再生表示される画像の再生開始時刻及び再生時間は、上述したように、監視画面生成部３１３において、予め、再生開始時刻表示領域５−２及び再生時間表示領域５−３に設定される。
再生開始時刻表示領域５−２には、アラーム発生時刻より前の時刻、例えば、６０秒前の時刻が予め設定され、データ発生時刻から１０分前まで遡る範囲で任意の時刻に変更できる。
また、再生時間表示領域５−３には、０乃至１０分の範囲で任意の時間に変更できる。
【００６２】
このようにして、監視画面表示部３３０にデータ発生時刻、データ終了時刻及び各監視対象の状態変化の任意の組み合わせで選択されて表示される異なる種別のアラーム詳細情報をその画面に表示されている再生開始時刻、例えば、アラーム発生時刻前の所定のデータ保存時刻から再生時間だけ再生し、逆再生し、２倍速の再生、２倍速の逆向き再生、１／２倍速の再生又は１／２倍速の逆向き再生をしてアラーム発生（状態変化）の監視に供する。
【００６３】
このように、この実施例の構成によれば、監視データデータベースに複数の監視情報を時系列で監視対象種別で、かつ、データ種別で記憶すると共に、監視データデータベースの情報を同一又は異なる種別での検索を可能にする検索情報を監視メタ情報データベースに記憶する一方、上記検索情報をセンター監視装置で同一又は異なる種別で可視的に選択可能にし、その選択される検索情報対応の監視情報を監視装置から受けて１つの画面に表示して監視情報の異常の監視を行うようにしているから、監視装置からオンラインの監視情報だけでなく、監視情報の状態変化の発生時刻前後の情報、過去の情報を同一又は異なる種別で、かつ、任意のタイミングで監視者に提供することができる。
したがって、監視情報の状態変化の発生までの過程の特定やその原因の調査の容易化を図ることができる。
同一又は異なる種別の監視情報を１つの画面で表示しているから、状態変化発生時の監視情報を監視者に分かり易く提供することができる。
複数種別の監視情報を状態変化発生時刻に関連付けて画面に表示しているから、状態変化の解析に必要な情報を集約して提供することができる。
【実施例２】
【００６４】
図６は、この発明の実施例２である監視システムの電気的構成を示す図である。
この実施例の構成が、実施例１のそれと大きく異なる点は、複数の監視装置をセンター監視装置で監視するようにした点である。
すなわち、この実施例の監視システム１Ａは、図６に示すように、複数の監視装置１００−ｉ（ｉ＝１、２、…、Ｎ）が、ネットワーク２００を経由してセンター監視装置３００に接続されて構成されている。
各監視装置１００−ｉには、実施例１と同様、監視カメラ１０−ｉ、キーボード２０−ｉ、マウス３０−ｉ及びモニタ装置５０−ｉ（図６には図示せず）が接続されている。
監視装置１００−ｉの構成は、実施例１の監視装置１００と同一構成である。
この構成以外のこの実施例の構成は、実施例１と同じであるので、同一の構成部分には同一の参照符号を付して、その逐一の説明は省略する。
【００６５】
次に、図６を参照して、この実施例の動作について説明する。
この実施例の監視システムの基本的な動作は、監視装置が複数となったことを除いて、実施例１の動作と同じである。
すなわち、各監視装置１００−ｉの監視データデータベース１４１−ｉ（図６には図示せず）に複数の監視情報を時系列で監視対象種別で、かつ、データ種別で記憶すると共に、監視データデータベース１４１−ｉの情報を同一又は異なる種別での検索を可能にする検索情報を監視メタ情報データベース１４２−ｉに記憶する。
【００６６】
上述のようにして記憶される検索情報（アラーム情報）をセンター監視装置３００で同一又は異なる種別で可視的に選択可能にして選択された検索情報を監視装置１００−ｉへ返送する。
監視装置１００−ｉは、返送された検索情報対応の監視情報を監視データデータベース１４１−ｉから検索してセンター監視装置３００へ送信する。
センター監視装置３００は、監視情報を１つの画面に表示して監視情報の異常の監視を行う。
【００６７】
このように、この実施例の構成によれば、実施例１と同効を奏しつつ、複数の監視装置をセンター監視装置で監視することができる。
【００６８】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、いずれの実施例においても、入力装置を追加する場合には、この追加対応の監視データデータベース及び異常条件リスト記憶部を設けると共に、監視画面生成部にも追加される入力装置対応の画面編集機能を設けて実施例同様の監視機能を行うように構成することもできる。
また、入力装置としては、上記実施例で述べたものに限定されず、他の各種の入力装置を用いた監視装置、例えば、タッチパネル装置を追加したＡＴＭ装置、切符自動販売機の監視システムを構成することもできる。
【産業上の利用可能性】
【００６９】
ここに開示している記憶方法は、監視目的でない診断等にも利用し得る。
【図面の簡単な説明】
【００７０】
【図１】この発明の実施例１である監視システムを構成する監視装置の電気的構成を示す図である。
【図２】同監視システムを構成するセンター監視装置の電気的構成を示す図である。
【図３】同監視システムのデータベースの構成例を示す図である。
【図４】同監視システムのアラーム情報画面の例を示す図である。
【図５】同監視システムのアラーム情報画面の例を詳細に示す図である。
【図６】この発明の実施例２である監視システムを構成する監視装置の電気的構成を示す図である。
【符号の説明】
【００７１】
１、１Ａ      監視システム
１０      監視カメラ(入力装置の１つ)
２０      キーボード(入力装置の１つ)
３０      マウス(入力装置の１つ)
４０      受信装置(入力装置の１つ)
５０      モニタ装置(入力装置の１つ)
１００      監視装置
１３０      情報管理部（書き込み制御手段）
１４１      監視データベース（記憶手段の一部）
１４２      監視メタ情報データベース（記憶手段の一部）
１４３      監視データ管理データベース群（記憶手段の残部）
１５１      状態変化検知部（検出手段）
１５２      異常条件リスト記憶部（第１の生成手段の一部、生成手段の一部）
１５３      状態変化メタ情報生成部（第１の生成手段の一部、生成手段の一部）
１５４      アラーム情報生成部（第１の生成手段の残部、生成手段の残部）
１６０      通信制御部（第１の送出手段、第２の送出手段、第３の送出手段の一部、送出手段）
１７０      状態変化メタ情報生成部（第２の送出手段、第３の送出手段の残部）
３００      センター監視装置
３１０      通信制御部（第１の表示制御手段の一部、第２の表示制御手段の一部）
３１１      アラーム画面生成部（第１の表示制御手段の残部）
３１２      監視情報選択部（第２の生成手段、生成手段）
３１３      監視画面生成部（第２の表示制御手段の残部）
３２０      監視画面制御部（選択手段の一部）
３３０      監視画面表示部（表示手段）
３４０      監視画面操作部（選択手段の残部）
【図１】
2007053475.tif 000003
【図２】
2007053475.tif 000004
【図３】
2007053475.tif 000005
【図４】
2007053475.tif 000006
【図５】
2007053475.tif 000007
【図６】
2007053475.tif 000008